(57)【要約】【課題】ケースとカバーとの間を封止するとともに、ケースとカバーとの間を通過する電磁波をシールドすることができる電動圧縮機を提供する。【解決手段】電動圧縮機１は、圧縮部５０と、圧縮部５０を駆動させる電動機４０と、電動機４０の駆動を制御する制御部３０と、制御部３０を収納する金属製のケース１２と、制御部３０を覆うように、ケース１２に固定される金属製のカバー１１と、ケース１２とカバー１１とで挟まれ、第１取付固定面１２２ａ及び第２取付固定面１１２ａに沿って配置される環状の封止部材２１とを備える。また、ケース１２及びカバー１１は、第１取付固定面１２２ａ及び第２取付固定面１１２ａが、鉛直方向と略平行となる姿勢で配置される。そして、ケース１２又はカバー１１には、金属製であり、かつ、封止部材２１の制御部３０側にある内周に沿った環状の壁部１３０が立設する。【選択図】図３
2020143644.tif 000002
【特許請求の範囲】
【請求項１】
冷媒を圧縮する圧縮部と、
前記圧縮部と機械的に接続され、前記圧縮部を駆動させる電動機と、
前記電動機と電気的に接続され、前記電動機の駆動を制御する制御部と、
少なくとも前記制御部を収納する金属製のケースと、
前記制御部を覆うように、前記ケースに固定される金属製のカバーと、
前記ケースに形成される環状の第１面と前記カバーに形成される環状の第２面とで挟まれ、前記第１面及び前記第２面に沿って配置される環状の封止部材とを備え、
前記ケース及び前記カバーは、前記第１面及び前記第２面が、鉛直方向と略平行となる姿勢で配置され、
前記ケース又は前記カバーには、金属製であり、かつ、前記封止部材の前記制御部側である内周に沿った環状の壁部が立設される
電動圧縮機。
【請求項２】
前記壁部は、前記第１面の前記制御部側にあり、かつ、前記第１面に対して前記カバー側に立ち上がるように前記ケースと一体に形成される、又は、前記第２面の前記制御部側にあり、かつ、前記第２面に対して前記ケース側に立ち上がるように前記カバーと一体に形成される
請求項１に記載の電動圧縮機。
【請求項３】
前記壁部は、前記第１面と前記第２面との間隙を覆うように配置される
請求項２に記載の電動圧縮機。
【請求項４】
前記壁部には、前記第１面又は前記第２面に対して立ち上がる方向に沿って外周が小さくなるように傾斜する第１傾斜面が形成される
請求項２又は３に記載の電動圧縮機。
【請求項５】
前記カバーには、前記ケースに形成された前記壁部の前記第１傾斜面と対応する形状の第２傾斜面が形成され、又は、前記ケースには、前記カバーに形成された前記壁部の前記第１傾斜面と対応する形状の第２傾斜面が形成される
請求項４に記載の電動圧縮機。
【請求項６】
前記壁部には、さらに、前記壁部が立ち上がる方向に沿って、前記壁部よりも高く突出する突出部が形成される
請求項１〜５のいずれか１項に記載の電動圧縮機。
【請求項７】
前記封止部材の外周面は、前記カバーの外周面、及び、前記ケースの外周面の少なくとも一方と略同一面上にある
請求項１〜６のいずれか１項に記載の電動圧縮機。
【請求項８】
さらに、前記ケースに配置され、かつ、前記制御部と電気的に接続するコネクタを備え、
前記コネクタは、前記電動機の前記鉛直方向の上側に設けられる
請求項１〜７のいずれか１項に記載の電動圧縮機。
【発明の詳細な説明】
【技術分野】
【０００１】
本開示は、電動圧縮機に関する。
【背景技術】
【０００２】
従来の電子部品の筐体構造として特許文献１には、側板と、側板の端部に取り付けられる金属製の蓋体と、蓋体と側板との間をシールするＯリングとを備える筐体構造が開示されている。この蓋体の外周端縁は、曲げ加工されている。
【先行技術文献】
【特許文献】
【０００３】
【特許文献１】特開２００４−９５９２９号公報
【発明の概要】
【発明が解決しようとする課題】
【０００４】
従来の電子部品の筐体構造を電動圧縮機に適用した場合、次のような課題が発生する。
【０００５】
電動圧縮機では、電動圧縮機に液体が掛かると、電動圧縮機の外周面を伝って蓋体であるカバーの外周端縁と側板を含むケースとの間に水が溜まることがある。液体が塩水である場合、カバー及びケースを腐食させてしまう。そこで、水が溜まらないように、電動圧縮機を起立する姿勢で配置すればよいとも考えられる。しかし、電動圧縮機を搭載する姿勢が限定される場合があり、電動圧縮機を寝かせて配置しなければならない場合では、カバー及びケースとの境界に液体が溜まり、液体がカバー及びケースを腐食させてしまう。
【０００６】
また、カバーとケースとの間をＯリングで封止しても、カバーとケースとの間を電磁波が通過することがある。つまり、カバーとケースとの間から、電磁波が侵入したり、電磁波が出射したりする。この場合、カバーとケースとで囲まれた内部に電子回路を有する制御部が配置されていれば、制御部が悪影響を及ぼす場合がある。また、電動圧縮機の周囲に電子回路を有する電子装置が存在していれば、電子回路から発せられた電磁波により、制御部が悪影響を受ける場合がある。
【０００７】
このため、電磁波による影響を低減する工夫が求められている。
【０００８】
そこで、ケースとカバーとの間を封止するとともに、ケースとカバーとの間を通過する電磁波をシールドすることができる電動圧縮機を提供することを目的とする。
【課題を解決するための手段】
【０００９】
上記目的を達成するために、本開示に係る電動圧縮機の一態様は、冷媒を圧縮する圧縮部と、前記圧縮部と機械的に接続され、前記圧縮部を駆動させる電動機と、前記電動機と電気的に接続され、前記電動機の駆動を制御する制御部と、少なくとも前記制御部を収納する金属製のケースと、前記制御部を覆うように、前記ケースに固定される金属製のカバーと、前記ケースに形成される環状の第１面と前記カバーに形成される環状の第２面とで挟まれ、前記第１面及び前記第２面に沿って配置される環状の封止部材とを備え、前記ケース及び前記カバーは、前記第１面及び前記第２面が、鉛直方向と略平行となる姿勢で配置され、前記ケース又は前記カバーには、金属製であり、かつ、前記封止部材の前記制御部側である内周に沿った環状の壁部が立設される。
【発明の効果】
【００１０】
本開示に係る電動圧縮機は、ケースとカバーとの間を封止するとともに、ケースとカバーとの間を通過する電磁波をシールドすることができる。
【図面の簡単な説明】
【００１１】
【図１】図１は、実施の形態に係る電動圧縮機を例示する模式図である。
【図２Ａ】図２Ａは、実施の形態に係る電動圧縮機の第１ハウジングを例示する斜視図である。
【図２Ｂ】図２Ｂは、図２Ａとは別の方向から視た実施の形態に係る電動圧縮機の第１ハウジングを例示する斜視図である。
【図３】図３は、実施の形態に係る電動圧縮機の第１ハウジングを例示する分解斜視図である。
【図４Ａ】図４Ａは、図２ＡのＩＶＡ−ＩＶＡ線における実施の形態に係る電動圧縮機の第１ハウジングを例示する断面図である。
【図４Ｂ】図４Ｂは、電動圧縮機の第１ハウジングの別の例を示す断面図である。
【図５】図５は、実施の形態に係る電動圧縮機のケースに嵌められた封止部材を示す斜視図である。
【発明を実施するための形態】
【００１２】
本開示の一態様に係る電動圧縮機は、冷媒を圧縮する圧縮部と、前記圧縮部と機械的に接続され、前記圧縮部を駆動させる電動機と、前記電動機と電気的に接続され、前記電動機の駆動を制御する制御部と、少なくとも前記制御部を収納する金属製のケースと、前記制御部を覆うように、前記ケースに固定される金属製のカバーと、前記ケースに形成される環状の第１面と前記カバーに形成される環状の第２面とで挟まれ、前記第１面及び前記第２面に沿って配置される環状の封止部材とを備え、前記ケース及び前記カバーは、前記第１面及び前記第２面が、鉛直方向と略平行となる姿勢で配置され、前記ケース又は前記カバーには、金属製であり、かつ、前記封止部材の前記制御部側である内周に沿った環状の壁部が立設する。
【００１３】
これによれば、封止部材は、第１面と第２面とに挟まれるため、第１面と第２面との間をより確実に封止することができる。また、封止部材、第１面、及び、第２面は、相互にそれぞれの形状に対応しているため、ケースとカバーとで形成される空間内への液体の侵入をより確実に抑制することができる。
【００１４】
また、壁部は、封止部材の内周に沿ってケース又はカバーに形成される。このため、第１面と第２面との間に挟まれる封止部材を介して電磁波が侵入しても、環状の壁部がこの電磁波をシールドすることができる。また、ケースに収容される制御部が電磁波を発生させても、電磁波が壁部で反射されるため、第１面と第２面との間までこの電磁波が到達し難い。このため、制御部が発生させた電磁波がケースとカバーとの間から出射され難くなる。
【００１５】
したがって、電動圧縮機は、ケースとカバーとの間を封止するとともに、ケースとカバーとの間を通過する電磁波をシールドすることができる。
【００１６】
特に、カバーをケースに取り付ける際に、壁部が無ければカバーをケースに片手で押さえ付けながら、ボルト等の固定部材でカバーをケースに固定する必要がある。しかし、本開示では、壁部をカバー又はケースの内側に嵌めれば、ケースに対するカバーの位置決めをし易くなるため、カバーをケースに片手で押さえ付ける必要もない。このため、本開示の電動圧縮機では、カバーとケースとの組立性が向上する。
【００１７】
本開示の他の態様に係る電動圧縮機において、前記壁部は、前記第１面の前記制御部側にあり、かつ、前記第１面に対して前記カバー側に立ち上がるように前記ケースと一体に形成される、又は、前記第２面の前記制御部側にあり、かつ、前記第２面に対して前記ケース側に立ち上がるように前記カバーと一体に形成される。
【００１８】
これによれば、壁部は、第１面及び第２面と平行な面に対して交差する位置に配置されるため、ケースとカバーとの間を通過する電磁波をより確実にシールドすることができる。
【００１９】
本開示の他の態様に係る電動圧縮機において、前記壁部は、前記第１面と前記第２面との間隙を覆うように配置される。
【００２０】
これによれば、壁部は、第１面と前記第２面との間隙を通過する電磁波をより確実にシールドすることができる。
【００２１】
本開示の他の態様に係る電動圧縮機において、前記壁部には、前記第１面又は前記第２面に対して立ち上がる方向に沿って外周が小さくなるように傾斜する第１傾斜面が形成される。
【００２２】
これによれば、カバーとケースとを向かい合わせてカバーをケースに取り付ける際に、第１傾斜面がカバー又はケースを取付け方向に案内することができるため、壁部をカバー又はケースの内部に嵌め易くなる。このため、本開示の電動圧縮機では、カバーとケースとの組立性をより向上させることができる。
【００２３】
本開示の他の態様に係る電動圧縮機において、前記カバーには、前記ケースに形成された前記壁部の前記第１傾斜面と対応する形状の第２傾斜面が形成され、又は、前記ケースには、前記カバーに形成された前記壁部の前記第１傾斜面と対応する形状の第２傾斜面が形成される。
【００２４】
これによれば、第１傾斜面と第２傾斜面とが重なり合い易くなる。このため、第１傾斜面と第２傾斜面との間の隙間を狭めることで密封性を高めることができる。その結果、第１傾斜面と第２傾斜面との間を電磁波が通過し難くなるため、電磁波をより確実にシールドすることができる。
【００２５】
本開示の他の態様に係る電動圧縮機において、前記壁部には、さらに、前記壁部が立ち上がる方向に沿って、前記壁部よりも高く突出する突出部が形成される。
【００２６】
これによれば、カバーとケースとを向かい合わせてカバーをケースに取り付ける際に、突出部をカバー又はケースの制御部側の内周面に引っ掛けることができる。このため、ケースに対してカバーを容易に位置決めすることができる。このため、この電動圧縮機では、カバーとケースとの組立性をより向上させることができる。
【００２７】
本開示の他の態様に係る電動圧縮機において、前記封止部材の外周面は、前記カバーの外周面、及び、前記ケースの外周面の少なくとも一方と略同一面上にある。
【００２８】
これによれば、少なくとも、封止部材の外周面とカバーの外周面とが略面一である、又は、封止部材の外周面とケースの外周面とが略面一である。このため、封止部材の近くに液体を溜まり難くすることができる。その結果、この電動圧縮機では、ケースとカバーとの境界部分における腐食を、より抑制することができる。
【００２９】
本開示の他の態様に係る電動圧縮機において、さらに、前記ケースに配置され、かつ、前記制御部と電気的に接続するコネクタを備え、前記コネクタは、前記電動機の前記鉛直方向の上側に設けられる。
【００３０】
これによれば、コネクタが電動機の上側に配置されるので、ケースとカバーとの間を伝わってくる液体の、コネクタへの侵入を抑制することができる。
【００３１】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００３２】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００３３】
また、以下の実施の形態において、略平行等の表現を用いている。例えば、略平行は、完全に平行であることを意味するだけでなく、実質的に平行である、すなわち、例えば数％程度の誤差を含むことも意味する。また、略平行は、本開示による効果を奏し得る範囲において平行という意味である。他の「略」を用いた表現についても同様である。
【００３４】
（実施の形態）
［構成］
まずは、本実施の形態に係る電動圧縮機１の構成について説明する。
【００３５】
図１は、実施の形態に係る電動圧縮機１を例示する模式図である。
【００３６】
図１では、電動圧縮機１において、ケース１２に対するカバー１１の方向をＸ軸プラス方向と規定し、ケース１２が膨出する方向をＹ軸プラス方向と規定し、Ｘ軸プラス方向及びＹ軸プラス方向と交差する方向をＺ軸プラス方向と規定する。そして、図２Ａ以降の各図に示す各方向は、図１に示す各方向に対応させて表示する。
【００３７】
［電動圧縮機１］
図１に示すように、電動圧縮機１は、空調システム等に用いる圧縮機である。本実施の形態の電動圧縮機１は、スクロール型圧縮機であるが、これには限定されない。例えば、ベーン型圧縮機等であってもよい。
【００３８】
電動圧縮機１は、内蔵された電動機４０の駆動力によって圧縮部５０を駆動（例えば、可動スクロールを旋回）させることで、吸入口から導入された冷媒を圧縮し、圧縮された冷媒を吐出口から外部に排出する。吸入口からは、ここでは図示しない蒸発器を経た冷媒が導入される。電動圧縮機１は、ここでは図示しない凝縮器、膨張弁、及び、蒸発器を介して接続され、圧縮冷凍サイクルを構成している。この圧縮冷凍サイクルは、例えば、車両の室内の冷房又は暖房を行う冷暖房装置として用いられる。
【００３９】
電動圧縮機１は、ハウジング３と、封止部材２１、２２と、制御部３０と、電動機４０と、圧縮部５０とを備える。
【００４０】
＜ハウジング３＞
ハウジング３は、アルミニウム、鉄、銅等の金属材料で構成され、軸心Ａに沿う円筒状である。ハウジング３は、その内部空間に、制御部３０を収容する制御室Ｋと、電動機４０を収容する電動室と、圧縮部５０を収容する圧縮室とを形成する。制御室Ｋと電動室との間は、ハウジング３の一部を構成する隔壁１２１によって仕切られる。
【００４１】
図２Ａは、実施の形態に係る電動圧縮機１の第１ハウジング１０ａを例示する斜視図である。図２Ｂは、図２Ａとは別の方向から視た実施の形態に係る電動圧縮機１の第１ハウジング１０ａを例示する斜視図である。図３は、実施の形態に係る電動圧縮機１の第１ハウジング１０ａを例示する分解斜視図である。
【００４２】
図２Ａ、図２Ｂ及び図３に示すように、ハウジング３は、制御室Ｋを画定する第１ハウジング１０ａと、電動室及び圧縮室を画定する第２ハウジング１０ｂとに分割される。
【００４３】
第１ハウジング１０ａは、ケース１２と、カバー１１とを有する。
【００４４】
ケース１２は、封止部材２１を介してカバー１１と向かい合い、後述する第１取付固定面１２２ａが鉛直方向（Ｙ軸方向と平行な方向）と略平行となる姿勢で配置される。
【００４５】
ケース１２は、少なくとも制御部３０の一部を構成する回路基板３１を収納する扁平な収容体である。ケース１２は、平面視で、一部が外径方向（本実施の形態では鉛直上方向）に膨出した円形状の金属製である。
【００４６】
ケース１２は、制御部３０を収容する際の底部となる金属製の隔壁１２１と、隔壁１２１に接続され、隔壁１２１の外周を囲む金属製の第１側壁１２２とを有する。
【００４７】
隔壁１２１には、制御部３０の一部を構成する回路基板３１を実装するための平面状の載置台１２３が形成される。具体的には、回路基板３１に実装されたスイッチング素子などの発熱部品（図示せず）が載置台１２３に当接するようにして、回路基板３１が載置台１２３に実装される。隔壁１２１には、載置台１２３の裏面に複数の放熱フィン１２７が形成される。載置台１２３の裏面とは、隔壁１２１における圧縮室側の面である。
【００４８】
各々の放熱フィン１２７は、載置台１２３の裏面から電動機４０に近づく方向（Ｘ軸マイナス方向）に突出し、載置台１２３の裏面に沿って長尺である。制御部３０で発せられた熱は、隔壁１２１を通じて放熱フィン１２７へ伝導する。各々の放熱フィン１２７では、第２ハウジング１０ｂ内を流れる冷媒によって、伝導した熱が奪われる。このため、各々の放熱フィン１２７は、冷媒の流路と放熱フィン１２７との接触面積が大きくなるように設けられる。つまり、各々の放熱フィン１２７は、放熱フィン１２７の長手方向と冷媒の流路とが略平行となるように、載置台１２３の裏面に形成される。
【００４９】
また、隔壁１２１には、制御部３０が電動機４０に電力を供給するための駆動コネクタ６２と、車両等に搭載されるバッテリ等の外部電源装置から制御部３０の回路基板３１に電力が供給される給電コネクタ６０ａとが設けられる。
【００５０】
駆動コネクタ６２の一方の電極ピン（ここでは３つ）は、隔壁１２１における圧縮室側の面に設けられ、駆動コネクタ６２の他方の電極ピンは隔壁１２１における制御室Ｋ側の面に設けられる。つまり、駆動コネクタ６２は、その電極ピンが、図２Ｂ及び図３に示すように、隔壁１２１と絶縁されつつ、隔壁１２１を貫通するように設けられる。
【００５１】
給電コネクタ６０ａは、ケース１２の一部が外径方向（Ｙ軸プラス方向）に膨出した部分に設けられる。そして、給電コネクタ６０ａは、隔壁１２１における圧縮室側の面を向くように設けられる。また、給電コネクタ端子６０ｂは、隔壁１２１における制御室Ｋ側の面にて、回路基板３１と電気的に接続される。給電コネクタ６０ａは、電動機４０の鉛直方向の上側に設けられる。このように給電コネクタ６０ａを配置することにより、ケース１２とカバー１１との間を伝わってくる液体が給電コネクタ６０ａに至ることがないため、給電コネクタ６０ａへの液体の侵入を抑制できる。なお、給電コネクタ６０ａは、コネクタの一例である。
【００５２】
第１側壁１２２には、カバー１１をケース１２に固定する際に、カバー１１と向かい合う側の面に、封止部材２１が配置される環状の第１取付固定面１２２ａが形成される。第１取付固定面１２２ａの形状は、平面視で、一部が外径方向に膨出した略円形状であり、カバー１１の外周縁と同様の形状である。第１取付固定面１２２ａは、封止性を高めるため、略平面を成している。第１取付固定面１２２ａは、第１面の一例である。
【００５３】
本実施の形態では、第１側壁１２２には、金属製であり、かつ、第１取付固定面１２２ａの内周側の縁に沿った環状の壁部１３０が立設する。言い換えれば、壁部１３０は、第１取付固定面１２２ａに配置された封止部材２１の制御部３０側にある第１側壁１２２の内周に沿って形成される。また、壁部１３０は、第１取付固定面１２２ａと第２取付固定面１１２ａとの間隙を、制御部３０側から覆うように配置される。壁部１３０は、第１取付固定面１２２ａに対して立ち上がる方向（隔壁１２１から遠ざかる方向であり、Ｘ軸プラス方向）に突出する。つまり、壁部１３０は、第１取付固定面１２２ａの制御部３０側であり、かつ、第１取付固定面１２２ａに対してカバー１１側に立ち上がる。ここで、壁部１３０はケース１２と一体に形成されている。
【００５４】
図４Ａは、ＩＶ−ＩＶ線における実施の形態に係る電動圧縮機１の第１ハウジング１０ａを例示する断面図である。
【００５５】
図３及び図４Ａに示すように、壁部１３０には、第１取付固定面１２２ａに対して立ち上がる方向に沿って外周が小さくなるように傾斜する第１傾斜面１３０ａが形成される。言い換えれば、第１傾斜面１３０ａは、錐状の面を形成する。つまり、壁部１３０は、先端に向かうにつれて厚みが薄くなる。
【００５６】
壁部１３０には、さらに、壁部１３０が立ち上がる方向に沿って、壁部１３０よりも高く突出する突出部１３５が形成される。突出部１３５は、壁部１３０の先端に形成される板状又は棒状の片である。このため、第１取付固定面１２２ａから突出部１３５の先端までの高さは、第１取付固定面１２２ａから突出部１３５を除く壁部１３０の先端までの高さよりも高い。突出部１３５は、壁部１３０に１以上形成される。
【００５７】
また、第１側壁１２２には、複数の固定部材９０が挿通する複数の貫通孔１２５が形成される。各々の貫通孔１２５には、各々の固定部材９０が係合する。
【００５８】
カバー１１は、第２取付固定面１１２ａが鉛直方向と略平行となる姿勢で配置される。カバー１１は、ケース１２に取り付けられた制御部３０を覆うように、ボルト等の固定部材９０によってケース１２に固定される。カバー１１は、ケース１２と重なり合うことで制御室Ｋを形成する。カバー１１は、平面視で、一部が外径方向に膨出した略円形状の金属製であり、ケース１２と同様の形状である。第２取付固定面１１２ａは、第２面の一例である。
【００５９】
カバー１１は、制御部３０を覆う天板となる金属製の天壁１１１と、天壁１１１に接続され、天壁１１１の外周を囲む金属製の第２側壁１１２とを有する。
【００６０】
第２側壁１１２には、カバー１１をケース１２に固定する際に、封止部材２１が配置される環状の第２取付固定面１１２ａが形成される。第２取付固定面１１２ａの形状は、平面視で、一部が外径方向に膨出した略円形状であり、第１取付固定面１２２ａと同様の形状である。第２取付固定面１１２ａは、封止性を高めるため、略平面を成している。
【００６１】
第２側壁１１２には、さらに、ケース１２に形成された壁部１３０の第１傾斜面１３０ａと対応する形状の第２傾斜面２３０ａが形成される。第２傾斜面２３０ａは、立ち上がる方向に沿って内周が小さくなるように傾斜する。言い換えれば、第２傾斜面２３０ａは、錐状の面を形成する。つまり、第２側壁１１２は、カバー１１の天壁１１１に向かうにつれて厚みが厚くなる。カバー１１をケース１２に固定した際に、第２傾斜面２３０ａは、第１傾斜面１３０ａと重なる。第２傾斜面２３０ａは、隙間なく第１傾斜面１３０ａと接触していてもよい。
【００６２】
また、第２側壁１１２には、複数の固定部材９０が挿通する複数の貫通孔１１８が形成される。各々の貫通孔１１８は、ケース１２の第１側壁１２２に形成される各々の貫通孔１２５と一対一で対応する。
【００６３】
第２ハウジング１０ｂは、電動機４０及び圧縮部５０を内包する筒体である。また、第２ハウジング１０ｂは、その内部空間に、電動機４０を収容する電動室と、圧縮部５０を収容する圧縮室とを形成する。
【００６４】
また、第２ハウジング１０ｂには、冷媒を圧縮するための吸入口と、圧縮部５０で圧縮した冷媒を吐出するための吐出口とが形成される。
【００６５】
＜封止部材２１＞
封止部材２１は、ケース１２の第１側壁１２２とカバー１１の第２側壁１１２とで挟まれ、ケース１２とカバー１１との間の隙間を封止するガスケットである。具体的には、封止部材２１は、ケース１２に形成される環状の第１取付固定面１２２ａとカバー１１に形成される環状の第２取付固定面１１２ａとで挟まれ、第１取付固定面１２２ａ及び第２取付固定面１１２ａに沿って配置される。言い換えれば、封止部材２１は、壁部１３０の外周に沿って配置される。
【００６６】
ケース１２とカバー１１とは複数のボルト等の固定部材９０によって固定されるため、封止部材２１は、ケース１２とカバー１１とによって力強く挟まれる。具体的には、封止部材２１は、封止部材２１の形状に沿って形成された環状の突部であるビード（図示せず）を有し、ビードが潰されるようにケース１２とカバー１１とで挟まれる。ケース１２とカバー１１とで形成される制御室Ｋ内に液体が侵入しないように、より確実に封止する。
【００６７】
図５は、実施の形態に係る電動圧縮機１のケース１２に嵌められた封止部材２１を示す斜視図である。
【００６８】
図３及び図５に示すように、封止部材２１は、平面視で、一部が外径方向に膨出した略円形状（環状）であり、ケース１２と同様の形状である。封止部材２１の外周縁は、平面視で、第１取付固定面１２２ａの外周縁、及び、第２取付固定面１１２ａの外周縁と略一致する。つまり、図４Ａに示すように、封止部材２１の外周面は、カバー１１の外側の外周面、及び、ケース１２の外側の外周面の少なくとも一方と略同一面上にある。本実施の形態では、封止部材２１の外縁である外周面は、カバー１１の外周面、及び、ケース１２の外周面と略同一面にある。より具体的には、封止部材２１、カバー１１及びケース１２を断面視した場合、封止部材２１の外周面、カバー１１の外周面、及び、ケース１２の外周面とは、同一直線上に含まれ、これらの面が一様（面一）である。このため、カバー１１から封止部材２１を介してケース１２に至る第１ハウジング１０ａの外周面が滑らかな面一となり、窪みが形成されていない。
【００６９】
図３及び図５に示すように、また、封止部材２１には、複数の固定部材９０が挿通する複数の貫通孔２３が形成される。各々の貫通孔２３は、ケース１２の第１側壁１２２に形成される各々の貫通孔１２５と一対一で対応し、かつ、カバー１１の第２側壁１１２に形成される各々の貫通孔１１８と一対一で対応する。各々の貫通孔２３には、各々の固定部材９０が挿通する。
【００７０】
＜制御部３０＞
図１及び図３に示すように、制御部３０は、電動機４０と電気的に接続され、電動機４０の駆動を制御するインバータである。制御部３０は、電動室内に配置される。
【００７１】
制御部３０は、回路基板３１と、複数の電子部品３２とを有する。
【００７２】
回路基板３１は、電子部品３２が実装されるとともに、ケース１２の隔壁１２１に形成された載置台１２３に固定される。回路基板３１は、平面視で、一部が外径方向に膨出した略円形状であり、ケース１２と同様の形状である。
【００７３】
回路基板３１は、隔壁１２１に設けられる他方の駆動コネクタ６２、及び、他方の給電コネクタ６０ｂと電気的に接続される。
【００７４】
電子部品３２は、電動機４０の駆動を制御するための制御回路を構成するコイル、コンデンサ等であり、回路基板３１に実装される。例えば、電子部品３２は、三相インバータ回路を構成する。
【００７５】
＜電動機４０＞
電動機４０は、圧縮部５０と機械的に接続され、圧縮部５０を駆動させる。電動機４０は、例えば三相交流モータである。電動機４０は、圧縮部５０に固定される駆動軸と、駆動軸に固定されており、磁性を帯びたロータと、ロータの外周側において第２ハウジング１０ｂに固定されたステータとを有する。ステータのステータコアには、コイルが巻回される。
【００７６】
電動機４０は、隔壁１２１に設けられる一方の駆動コネクタ６２と電気的に接続され、制御部３０から電力が給電される。
【００７７】
＜圧縮部５０＞
図１に示すように、圧縮部５０は、冷媒を圧縮するスクロール型、ベーン型等の圧縮機構である。
【００７８】
本実施の形態では、圧縮部５０は、固定スクロールと、可動スクロールとを有するスクロール型の圧縮機構である。固定スクロールは、固定プレートと、固定プレートから立設する渦巻き形状の仕切り壁とを有する。可動スクロールは、可動プレートと、可動プレートから立設する渦巻き形状の仕切り壁とを有する。可動スクロールの仕切り壁は、固定スクロールの仕切り壁と互いに噛み合うように配置される。可動スクロールの可動プレートは、駆動軸に設けられた偏心軸に回動自在に支持される。可動スクロールは、電動機４０の駆動軸が回転すると、軸心Ａ回りに旋回する。
【００７９】
［その他実施例］
本実施の形態では、図４Ａに示すように、ケース１２の第１側壁１２２に壁部１３０が一体に形成されるが、図４Ｂに示すように、カバー１１ａの第２側壁２１２に壁部２３０が一体に形成されてもよい。図４Ｂは、電動圧縮機１の第１ハウジング１０ａの別の例を示す断面図である。
【００８０】
図４Ｂに示すように、第２側壁２１２には、金属製であり、かつ、第２取付固定面２１２ａの内周側の縁に沿って立設した環状の壁部２３０が形成される。言い換えれば、壁部２３０は、第２取付固定面２１２ａに配置された封止部材２１の制御部３０側にある第２側壁２１２の内周に沿って形成される。壁部２３０は、第２取付固定面２１２ａに対して立ち上がる方向（隔壁１２１に近づく方向であり、Ｘ軸マイナス方向）に突出する。つまり、壁部２３０は、第２取付固定面２１２ａの制御部３０側であり、かつ、第２取付固定面２１２ａに対してケース１２ａ側に立ち上がる。
【００８１】
この場合も、壁部２３０には、第２取付固定面２１２ａに対して立ち上がる方向に沿って外周が小さくなるように傾斜する第１傾斜面２３１が形成される。また、壁部２３０には、突出部１３５も形成される。
【００８２】
第１側壁２２２には、さらに、カバー１１ａに形成された壁部２３０の第１傾斜面２３１と対応する形状の第２傾斜面２４１が形成される。第２傾斜面２４１は、立ち上がる方向に沿って内周が小さくなるように傾斜する。言い換えれば、第２傾斜面２４１は、錐状の面を形成する。つまり、第１側壁２２２は、ケース１２ａの側壁に向かうにつれて厚みが薄くなる。
【００８３】
［動作］
このような電動機４０では、ステータへの通電により磁場が形成されると、ロータとステータとの間に引力又は斥力が発生し、ロータと共に駆動軸が軸心Ａ回りに回転する。駆動軸の回転により、圧縮部５０が駆動する。具体的には、駆動軸の回転により、圧縮部５０の可動スクロールが軸心Ａ回りに旋回すると、吸入口から導入された冷媒が固定スクロールと可動スクロールとの間の空間内で圧縮される。圧縮された冷媒は、固定スクロールの固定プレートに形成された貫通孔を開閉するリード弁を押し開けて、吐出室へ流入する。そして、圧縮された冷媒は、吐出室から吐出口を通じて圧縮冷凍サイクルへと吐出される。
【００８４】
［作用効果］
次に、本実施の形態に係る電動圧縮機１の作用効果について説明する。
【００８５】
以上のように、本実施の形態における電動圧縮機１では、環状の封止部材２１は、カバー１１をケース１２に固定した際に、環状の第１取付固定面１２２ａと環状の第２取付固定面１１２ａとに挟まれる。このため、封止部材２１は、第１取付固定面１２２ａと第２取付固定面１１２ａとの間隙を封止することで、ケース１２とカバー１１とで形成された制御室Ｋ（空間の一例である）内に液体が浸入することをより確実に抑制することができる。
【００８６】
また、ケース１２の壁部１３０又はカバー１１の壁部１３０は、封止部材２１の内周に沿って突出している。つまり、壁部１３０は、第１取付固定面１２２ａ又は第２取付固定面１１２ａに対して突出している。このため、第１取付固定面１２２ａと第２取付固定面１１２ａとの間に挟まれる封止部材２１を介して電磁波が侵入しても、環状の壁部１３０がこの電磁波をシールドすることができる。また、ケース１２に収容される制御部３０が電磁波を発生させても、壁部１３０で反射されるため、第１取付固定面１２２ａと第２取付固定面１１２ａとの間までこの電磁波が到達し難い。このため、制御部３０が発生させた電磁波がケース１２とカバー１１との間から出射され難くなる。
【００８７】
したがって、電動圧縮機１では、ケース１２とカバー１１との間を封止するとともに、ケース１２とカバー１１との間を通過する電磁波をシールドすることができる。
【００８８】
また、従来の電動圧縮機１では、カバー１１をケース１２に取り付ける際に、壁部１３０が無ければカバー１１をケース１２に片手で押さえ付けながら、ボルト等の固定部材９０でカバー１１をケース１２に固定する必要がある。しかし、本実施の形態では、カバー１１とケース１２とを向かい合わせて、壁部１３０をカバー１１又はケース１２の内部に嵌めれば、カバー１１がケース１２に引っ掛かるため、ケース１２に対するカバー１１の位置決めをし易くなる。このため、本開示の電動圧縮機１では、カバー１１とケース１２との組立性を向上させることができる。
【００８９】
さらに、本実施の形態における電動圧縮機１では、壁部１３０には、立ち上がる方向に沿って外周が小さくなるように傾斜する第１傾斜面１３０ａが形成されているため、壁部１３０をカバー１１又はケース１２の内部に嵌め易くなる。さらに、壁部１３０には、壁部１３０よりも高く突出する突出部１３５が形成されるため、ケース１２に対してカバー１１を容易に位置決めすることができる。このため、本開示の電動圧縮機１では、カバー１１とケース１２との組立性をより向上させることができる。
【００９０】
さらに、本実施の形態における電動圧縮機１では、第１傾斜面１３０ａと第２傾斜面２３０ａとが重なり合うことで、第１傾斜面１３０ａと第２傾斜面２３０ａとの間の隙間を狭めることで密封性を高めることができる。このため、電磁波をより確実にシールドすることができる。
【００９１】
さらに、本実施の形態における電動圧縮機１では、封止部材２１の外周面は、カバー１１の外周面、及び、ケース１２の外周面の少なくとも一方と略同一面上にある。このため、封止部材２１の外周に液体を溜まり難くすることができる。その結果、この電動圧縮機１では、ケース１２とカバー１１との境界部分における腐食を、より抑制することができる。
【００９２】
（その他の変形例）
以上、本開示に係る電動圧縮機について、上記各実施の形態に基づいて説明したが、本開示は、これらの実施の形態に限定されるものではない。本開示の趣旨を逸脱しない限り、当業者が思いつく各種変形を実施の形態に施したものも、本開示の範囲内に含まれてもよい。
【００９３】
例えば、本実施の形態に係る電動圧縮機において、壁部は、ケース及びカバーのいずれとも異なる別体であってもよい。つまり、壁部は、ケース及びカバーの制御室の形状に応じた形状をなしている。この場合、壁部は、第１取付固定面と第２取付固定面との間隙を覆い、ケースからカバーまでを跨ぐように配置される。
【００９４】
なお、上記の各実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【産業上の利用可能性】
【００９５】
本開示の電動圧縮機は、例えば自動車等の車両の空調システム等に用いるコンプレッサに適用することができる。
【符号の説明】
【００９６】
１  電動圧縮機
１１、１１ａ  カバー
１２、１２ａ  ケース
２１  封止部材
３０  制御部
４０  電動機
５０  圧縮部
６０ａ  給電コネクタ（コネクタ）
１１２ａ、２１２ａ  第２取付固定面（第２面）
１２２ａ  第１取付固定面（第１面）
１３０、２３０  壁部
１３０ａ、２３１  第１傾斜面
１３５  突出部
２３０ａ、２４１  第２傾斜面
【図１】
2020143644.tif 000003
【図２Ａ】
2020143644.tif 000004
【図２Ｂ】
2020143644.tif 000005
【図３】
2020143644.tif 000006
【図４Ａ】
2020143644.tif 000007
【図４Ｂ】
2020143644.tif 000008
【図５】
2020143644.tif 000009